(57)【要約】【課題】フェンスの横桟と縦桟とが強固に接合されると共に、美観に優れたフェンスを提供する。【解決手段】支柱１の間に支持されたフェンス体２とからなるフェンスＦであって、フェンス体２は、上下に並行に配置された２個の横桟３と、横桟３に上下部が接合され横桟３の長手方向に沿って適宜間隔をおいて配置された複数個の縦桟４とからなり、横桟３と縦桟４との接合部には、少なくともいずれか一方に他方が嵌入される凹部４５が設けられて、該接合部における縦桟４の外側面４２ａと横桟３の外側面３１とが面一となされるようにフェンスＦを構成する。【選択図】        図１
2008002226.tif 000002
【特許請求の範囲】
【請求項１】
適宜間隔をおいて立設された支柱と、前記支柱の間に支持されたフェンス体とからなるフェンスであって、前記フェンス体は、上下に並行に配置された２個の横桟と、該横桟に上下部が接合され横桟の長手方向に沿って適宜間隔をおいて配置された複数個の縦桟とからなり、前記横桟と縦桟との接合部には、少なくともいずれか一方に他方が嵌入される凹部が設けられて、該接合部における縦桟の外側面と横桟の外側面とが面一となされていることを特徴とするフェンス。
【請求項２】
前記支柱の間の対向する側壁面において、その上下に横桟が載置される支持片がそれぞれ相対向して突設されていることを特徴とする請求項１に記載のフェンス。
【発明の詳細な説明】
【技術分野】
【０００１】
本発明は、住宅、公園、工場の敷地等の境界用フェンスや侵入防止用フェンス、転落防止用フェンス等の外構用フェンスに関するものである。
【背景技術】
【０００２】
一般に、住宅、公園、工場の敷地等の境界用フェンスや侵入防止用フェンス、転落防止用フェンス等の外構用フェンスが設けられており、その形態としては、支柱の間に、メッシュ状のものを取付けたもの、上下の横桟の間に複数の縦桟を配置したものを取付けたもの、金属板、樹脂板等や、それらを複数枚積層した板状のものを取付けたもの等の様々なものが提案されている。
【０００３】
そして、上下の横桟の間に複数の縦桟を配置したものとしては、一般には、縦桟の側面に横桟を配置して溶接で接合するものが、多く用いられている。しかし、取付け強度を大きくするために溶接箇所を厚くすると、外観上は悪くなり、又、溶接部は比較的錆やすい箇所でもあるため、長期的には溶接箇所の接合強度の低下や錆等発生が懸念されるものであった。
【０００４】
又、下面又は上面に縦桟嵌入孔が設けられ、この縦桟嵌入孔内の対向する側壁面に弾性係止片が相対向してかつ縦桟嵌入孔の開口部から遠ざかる方向に傾斜して設けられたパイプ状の横桟と、この横桟の縦桟嵌入孔に端部が挿入されこの端部の両側面に弾性係止片の先端が係合する係止溝を有する縦桟とを備えた格子接合装置が提案されている。この格子接合装置は、縦桟と横桟とを簡単に接合でき、かつ接合部における錆の発生を防止し得るものである。（例えば、特許文献１参照。）
【０００５】
【特許文献１】特開昭５８−６２２５５号公報
【発明の開示】
【発明が解決しようとする課題】
【０００６】
しかしながら、前記の格子接合装置には次のような問題点があった。すなわち、上下の横桟の縦桟嵌入孔に縦桟を挿入し、更に弾性係止片により縦桟を係合するものであるため、横桟の奥行きは、縦桟の奥行きよりもかなり広くなり、格子接合装置の奥行きの幅を縦格子の奥行きの幅程度に抑えることは困難であった。又、この格子接合装置は、横桟と縦桟とは弾性係止片を介して係合されたのみであり、格子接合装置を組み立てた状態で持ち運ぶには必ずしも強固な接合状態とは言えず、これらの点で不足のあるものであった。
【０００７】
本発明は、前記の如き問題点を解消し、フェンスの奥行きの幅を縦桟の奥行きの幅程度に抑えることができ、横桟と縦桟とが強固に接合されると共に、美観に優れたフェンスを提供せんとするものである。
【課題を解決するための手段】
【０００８】
上記目的を達成するために、本発明は次のような構成としている。すなわちこの発明に係るフェンスは、適宜間隔をおいて立設された支柱と、前記支柱の間に支持されたフェンス体とからなるフェンスであって、前記フェンス体は、上下に並行に配置された２個の横桟と、該横桟に上下部が接合され横桟の長手方向に沿って適宜間隔をおいて配置された複数個の縦桟とからなり、前記横桟と縦桟との接合部には、少なくともいずれか一方に他方が嵌入される凹部が設けられて、該接合部における縦桟の外側面と横桟の外側面とが面一となされていることを特徴とするものである。
【発明の効果】
【０００９】
本発明によれば、フェンス体の横桟と縦桟との接合部において、縦桟の外側面と横桟の外側面とが面一となされているので、例えば、一般的に用いられる縦桟の外側面に横桟を取付けたものと比べると、フェンス体を長手方向に沿って見た場合、横桟の飛び出しがないため、優れた美観を奏するものとなる。
【００１０】
そして、フェンス体の横桟と縦桟との接合部において、縦桟に、横桟が嵌入される凹部が設けられると、横桟は、垂直方向に力が加わっても凹部の下部で支えられて縦桟からは外れにくくなり、一般に、縦桟の側面に溶接で接合された横桟に比べて、接合強度を高くすることができる。
【００１１】
本発明に係るフェンスにおいて、支柱の間の対向する側壁面に、その上下に横桟が載置される支持片がそれぞれ相対向して突設されるようになされれば、作業者は、支柱の支持片に、フェンス体の横桟を載置すると、フェンス体が支柱の間に支持されるので、フェンス体を持ち上げる高さを最小限に抑えることができ、かつ一人でもフェンス体の取付作業が可能となる。
【発明を実施するための最良の形態】
【００１２】
次に、本発明を実施するための最良の形態について図面を参照し、具体的に説明する。
【００１３】
すなわち、図１は本発明に係るフェンスの実施の一形態を示す斜視図、図２は図１の正面図、図３は図１の支柱の斜視図、図４は図１の縦桟の斜視図、図５は図２のＡ−Ａ断面図、図６は図２のＢ−Ｂ断面図である。
【００１４】
先ず、図１に示されたフェンスＦは、適宜間隔をおいて立設された支柱１と、支柱１の間に支持されるフェンス体２とから主に構成され、このフェンス体２は上下に並行に配置された２個の横桟３と、横桟３に接合された複数個の縦桟４とから主に構成されている。
【００１５】
支柱１は、図１及び図３に示すように、横断面略矩形となされて立設されたものであり、支柱１の上端部は矩形の天面１１が形成され、この天面１１の敷地Ａ側の端部からほぼ垂直下向きに外側面１２ａが設けられ、又、天面１１の敷地Ｂ側からほぼ垂直下向きに外側面１２ｂが設けられると共に、天面１１と外側面１２ｂとの角部に斜面１３が設けられている。又、天面１１においてフェンスＦの長手方向の両端部からほぼ垂直下向きに２個の外側面１４がほぼ垂直下向きに設けられている。これにより、侵入者がフェンスＦを乗り越えようとしても、侵入者は支柱１の先端には、手や足を掛けにくく、忍び返しの効果を奏することができる。
【００１６】
尚、図１に示された、敷地Ａ及び敷地Ｂは、フェンスＦの形態を説明する際に、方向を区別するために示したものであり、一般的には、支柱１の傾斜面１３が設けられた敷地Ｂ側が敷地外であり、敷地Ａ側が敷地内を示すものであるが、フェンスＦは逆方向に設置されてもよく、特に限定されるものではない。
【００１７】
フェンス体２は、図１に示すように、上下に並行に配置された２個の横桟３と、横桟３に上下部が接合され横桟３の長手方向に沿って適宜間隔をおいて配置された複数個の縦桟４とからなる。横桟３は、縦断面矩形に形成され、支柱１の間に配置されている。
【００１８】
縦桟４は、支柱１と同様な形態である。すなわち、図１及び図４に示すように、横断面矩形となされ、縦桟４の上端部は矩形の天面４１が形成され、この天面４１の敷地Ａ側の端部からほぼ垂直下向きに外側面４２ａが設けられ、又、天面４１の敷地Ｂ側からほぼ垂直下向きに外側面４２ｂが設けられると共に、天面４１と外側面４２ｂとの角部に斜面４３が設けられている。又、天面４１においてフェンスＦの長手方向の両端部からほぼ垂直下向きに２個の外側面４４がほぼ垂直下向きに設けられている。これにより、侵入者がフェンスＦを乗り越えようとしても、侵入者は支柱の先端には、手や足を掛けにくく、忍び返しの効果を奏することができる。
【００１９】
そして、支柱１の斜面１３と縦桟４の斜面４３とは、図１に示すように、同じ敷地Ｂの側に形成されると共に、ほぼ同様な傾斜角度となされている。これにより、支柱１と縦桟４とが相まって優れた美観を示すため好ましい。又、このように斜面１３と斜面４３とが形成されていると、降雪時に、支柱１及び縦桟４の上部に積雪した雪が斜面１３と斜面４４とを滑って落下しやすく、フェンスＦに積雪荷重による変形等が起こりにくくなり好ましい。
【００２０】
支柱１及び縦桟４は、一般的には鋼製であるが、他の金属、例えば、銅、アルミニウム合金、ステンレス鋼等から作製されたものもよく、又、支柱１及び縦桟４は、その内面が中空の管状に形成されたものであるが、中実の形態でもよく、更に、支柱１及び縦桟４の横断面形状は、互いにほぼ同形となされ、それぞれ相まって優れた美観を示すため好ましいが、他の多角形、円形、楕円形、あるいはこれらを組み合わせた形態でもよく、必要な長さや強度に応じて、適宜使用できる。
【００２１】
又、横桟３は、支柱１と同様に、一般的には鋼製であるが、他の金属、例えば、銅、アルミニウム合金、ステンレス鋼等から作製されたものもよい。
【００２２】
次に、フェンス体２における横桟３と縦桟４との接合部の形態について説明する。
【００２３】
縦桟４の敷地Ａ側の外側面４２ａには、図４に示すように、その上下に横桟３が嵌入される凹部４５が設けられている。凹部４５は、横桟３の縦断面形状に対応したものである。すなわち、凹部４５は、縦桟４の外側面４２ａから相対する外側面４２ｂに向かって形成され、横桟３が嵌入されるようになされたものであり、図５に示すように、凹部４５の縦断面形状は、横桟３の縦断面形状とほぼ同形になされている。これによって、横桟３を凹部４５に嵌入した際に、横桟３の外側面３１と、凹部４５が設けられた外側面４２ａとが略面一に形成され、フェンス体の長手方向に沿って見た場合、フェンス体の側面に突起等がなく美観に優れたものとなる。
【００２４】
そして、一般的な縦桟４の外側面４２ａに横桟３を溶接やボルト・ナット等で接合した場合に比べると、本形態は、横桟３を凹部４５の下部で支えることができ、垂直方向への耐荷重をより大きくすることができるので好ましい。
【００２５】
横桟３と縦桟４との接合部の形態は、横桟３を縦桟４の凹部４５に嵌入されるのみでもよいが、工具を用いて横桟３と縦桟４との接合部をかしめてもよく、或いは、横桟３と縦桟４の接合部を溶接でより強固に接合させてもよい。
【００２６】
凹部４５は、横桟３に設けられても同様な効果を奏することができるが、本形態の方が、横桟３の垂直方向に対して強固に支えることができるので、より好ましい。尚、横桟３及び縦桟４の奥行きの幅を同じにすると共に、縦桟４及び横桟４の接合部において、それぞれに凹部４５を形成し、横桟３と縦桟４とをそれぞれ嵌入させることにより、縦桟４の外側面４２ａ、４２ｂと横桟３の外側面３１とがそれぞれ略面一になされ、より美観を高めることができる。
【００２７】
次に、支柱１の間へのフェンス体２の支持構造について説明する。
【００２８】
隣合う支柱１の相対する側壁面１４には、図２及び図３に示すように、フェンス体２を支持するための支持片１５がそれぞれ相対向して突設されている。本形態では、支持片１５は、側壁面１４から水平に突設された載置部１６を備え、支持片１５は側壁面１４の上下に２個突設され、フェンス体２の上下の横桟３が支持片１５の載置部１６にそれぞれ載置され、支柱２の間にフェンス体２を支持するようになされている。
【００２９】
これらの構造によって、支柱１の間にフェンス体２を支持するには、作業者は、フェンス体２の上下の横桟３を、支持片１５の載置部１６まで持ち上げ、この載置部１６に載置すればよいので、作業が容易となる。
【００３０】
又、支持片１５の載置部１６の上面には、図３及び図６に示すように、長手方向に突条部１７が形成されると共に、載置部１６に載置される横桟３の底部には突条部１７と係合する凹溝３２が形成されている。更に、凹溝３２に突条部１７が係合された際に、横桟３の外側面３１は、載置部１６の一方の側端部からほぼ垂直上向きに設けられた側面部１８にほぼ当接するようになされている。
【００３１】
この構造により、横桟３の外側面３１が、この側面部１８に当接するように横桟３を載置部１６に載置すれば、横桟３の凹溝３２と載置部１６の突条部１５とを係合するので、フェンス体２は、その長手方向と垂直方向に対して、位置ずれしたり、倒れたりするおそれが少なくなる。つまり、この状態であれば、作業者はフェンス体２を支えなくても、フェンス体２は支柱１の間に支持されるので、横桟と支持片とを固定するための締結作業は、一人でも容易にすることができる。
【００３２】
突条部１８及び凹溝３２の形状は、図６に示すように、縦断面半円形に形成されている。これにより、隣合う支柱１において、設置誤差により突条部１８と凹溝３２の係合位置のずれが生じていても、その位置ずれを吸収して係合させることが比較的容易であり、より好ましいが、突条部１８及び凹溝３２の縦断面形状は本形態に限られるものではなく、四角形状でもよく、三角形状でもよく、楕円形状でもよい。
【００３３】
又、横材３の凹溝３２は、前記の突条部１８と係合する箇所のみに形成されてもよいが、横材３の長手方向に沿って形成されると、設置場所においてフェンス体の長さを調節する際に、横材３を適宜切断しても、その切断端部から凹溝３２が設けられた状態となるので、新たに凹溝３２を作製する必要がなく、フェンス体の取付作業が容易となり、より好ましい。
【００３４】
横桟３と支持片１５とを固定方法は、図６に示すように、横桟３の底部と、支持片１５の載置部１６とをボルトによって螺合せて、ナットにより締結するものである。これにより、フェンスの側面部にはボルト等が突出せず、美観を損なうことがないのでより好ましいが、本形態に限られるものではなく、横桟３の外側面３１と、支持片１５の側面部１８とにボルトを挿通させ、ナットにより締結するもの（図示せず）でもよく、作業性に応じて、適宜設定することができる。
【図面の簡単な説明】
【００３５】
【図１】本発明に係るフェンスの実施の一形態を示す斜視図である。
【図２】図１の正面図である。
【図３】図１の支柱の斜視図である。
【図４】図１の縦桟の斜視図である。
【図５】図２のＡ−Ａ断面図である。
【図６】図２のＢ−Ｂ断面図である。
【符号の説明】
【００３６】
１    支柱
２    フェンス体
３    横桟
４    縦桟
１３  斜面
１５  支持片
３１  外側面
４２ａ  外側面
４３  斜面
４５  凹部
Ｆ    フェンス
【図１】
2008002226.tif 000003
【図２】
2008002226.tif 000004
【図３】
2008002226.tif 000005
【図４】
2008002226.tif 000006
【図５】
2008002226.tif 000007
【図６】
2008002226.tif 000008